(57)【要約】【課題】  外部筐体へ表示装置を取り付ける際に発生する応力や表示パネルの外周部で発生する応力が原因で発生する表示パネルの表示ムラを抑制することができるとともに透明粘着部材８の剥離や表示パネルの破損などを防止することが可能な表示装置を提供する。【解決手段】  バックライト２を収納する、保持フレーム３には側部３１に形成した取り付け部３２（ネジ部、取付穴等）が設けられており、表示装置は取り付け部３２を介して、外部筐体６に取り付けられる。取り付け部３２は、保持フレーム３の側部３１に形成されて、側部３１より外部筐体６に向かって突出し、支持部３ａと略平行な方向に形成されている。【選択図】      図２
2015034876.tif 000002
【特許請求の範囲】
【請求項１】
表示パネルと、
前記表示パネルの前面側に透明粘着部材を介して配置された透明部材と、
前記表示パネルの背面側に配置されたバックライトと、
前記バックライトに対向する側部を備え、前記バックライトを内部に収納して、前記透明部材を支持する保持フレームと、を備え、
前記保持フレームは、透明部材の後面の周辺部に対向して配置され、前記透明部材を支持する支持部を有し、前記支持部に配置された接合部材により前記透明部材と固定され、
前記支持部とは異なる位置に外部筐体との取り付け部が設けられていることを特徴とする表示装置。
【請求項２】
表示パネルと、
前記表示パネルの前面側に透明粘着部材を介して配置された透明部材と、
前記表示パネルの背面側に配置されたバックライトと、
前記バックライトに対向する側部を備え、前記バックライトを内部に収納して、前記透明部材を支持する保持フレームと、を備え、
前記保持フレームは、透明部材の後面の周辺部に対向して配置され、前記透明部材を支持する支持部を有し、前記支持部に配置された前記透明粘着部材を介し前記透明部材と固定され、
前記支持部とは異なる位置に外部筐体との取り付け部が設けられていることを特徴とする表示装置。
【請求項３】
前記取り付け部は、前記保持フレームの側部から突出して形成されていることを特徴とする請求項１または２記載の表示装置。
【請求項４】
前記取り付け部は、前記保持フレームの側部に形成されていることを特徴とする請求項１
または２記載の表示装置。
【請求項５】
前記取り付け部は、前記保持フレームの前記側部と連続する背面に形成されていることを特徴とする請求項１または２記載の表示装置。
【請求項６】
前記取り付け部は、前記支持部と前記保持部材との固定箇所よりも、外方に設けられていることを特徴とする請求項１または２記載の表示装置。
【請求項７】
前記取り付け部は、前記支持部と連続して形成され、前記支持部より外方に延在する延在部に形成されたことを特徴とする請求項１記載の表示装置。
【請求項８】
前記透明部材は、前記表示パネルを保護する保護部材である請求項１乃至７のいずれか１項に記載の表示装置。
【請求項９】
前記透明部材は、タッチパネルである請求項１乃至７のいずれか１項に記載の表示装置。
【請求項１０】
前記表示装置は、タッチパネルをさらに備え、前記タッチパネルは、前記表示パネルまたは前記保護部材間に配置された透明接着部材により固定された請求項８記載の表示装置。
【請求項１１】
表示パネルと、
前記表示パネルの前面側に透明粘着部材を介して配置された透明部材と、
前記表示パネルの背面側に配置されたバックライトと、
前記バックライトに対向する側部を備え、前記バックライトを内部に収納して、前記透明部材を支持する保持フレームと、を備え、
前記保持フレームは、透明部材の後面の周辺部に対向して配置され、前記透明部材を支持する支持部を有し、前記支持部に配置された接合部材により前記透明部材と固定され、
前記透明部材は、前記保持フレームの支持部に対応する位置に貫通穴が設けられ、
前記保持フレームは、前記貫通穴に対応する位置に取り付け部が形成され、
前記貫通穴を介して、前記取り付け部と前記外部筐体とが固定されることを特徴とする表示装置。
【請求項１２】
前記支持部に配置された接合部材または前記透明粘着部材は、前記取り付け部に対応して配置され、前記貫通穴と対応して貫通穴が設けられていることを特徴とする請求項１１記載の表示装置。
【請求項１３】
前記取り付け部は、前記支持部の一部を延在させ、該延在部分を折り曲げた２重折り曲げ部に配置されていることを特徴とする請求項１１または１２に記載された表示装置。
【発明の詳細な説明】
【技術分野】
【０００１】
本発明は、表示装置に関するものであり、特に保護部材またはタッチパネル等の入力装置を表示パネルの前面に備えた表示装置に関するものである。
【背景技術】
【０００２】
近年の情報電子機器は、表示パネルの前面にタッチパネルなどの入力装置を備える表示装置、もしくは堅牢性を有する保護部材を備える表示装置が広く普及されている。
【０００３】
表示装置は、外光の表面反射による視認性の悪化を防止するため、また外部からの衝撃や浸水や埃などから表示装置を保護するために、表示装置の表示面とタッチパネルもしくは保護部材を透明粘着部材などで固定すること（グラスボンディング）により一体化している場合が多い。また、タッチパネルもしくは保護部材を表示装置の表示面よりも大きくすることによって、周辺部の防水、防塵エリアを広くすることができるため、より高い防水、防塵効果を得ることが可能となる。
【０００４】
特許文献１の保護板一体型表示装置は、表示パネルと面光源が、保護板とその反対側に配置され、底部と底部の外周縁部に設けられた外壁部とを有して保護板に固定される筐体により取り囲まれて保持されている。また、表示パネルは筐体底部との間に配置された緩衝部材により保護板に向けて押圧され、弾性反発力により保持されている。
【０００５】
また、特許文献２の表示機器によれば、表示パネルとバックライトを含み、これらをフレームで挟持する液晶表示装置と、液晶表示装置の前面側に配置された透明保護板が透明弾性体を介して表示パネルと接合されており、透明保護板を格納する外部筐体に、液晶表示装置のフレームと透明保護板が固定部品を介して取り付けられる構造が示されている。
【先行技術文献】
【特許文献】
【０００６】
【特許文献１】特開２０１１−７５６０５号公報
【特許文献２】特開２００９−１２２３９８号公報
【発明の概要】
【０００７】
しかしながら、特許文献１に示された保護板一体型表示装置においては、表示パネル外周部が直接緩衝部材により透明保護板に押圧されているため、表示パネル外周部で発生する応力により、表示ムラが発生する場合がある。
【０００８】
また、特許文献２に示された表示機器においては、透明保護板とその固定部により表示パネルの動きや変形が規制された状態で、液晶表示装置固定部が、表示パネルと、バックライトを狭持するフレームに支持されているため、外部筐体へ液晶表示装置を固定する際、フレームの表示装置固定部と、透明保護板の保持部の間で発生する応力が、表示パネル狭持部にも応力を発生させ、表示ムラが発生する場合がある。
【０００９】
さらに、筐体に保護部材もしくはタッチパネルを固定した後に表示装置を取り付ける際、固定位置における表示装置の保護部材もしくはタッチパネルへの押付け力や、ネジの締め付け手順などによる固定位置のバラツキなどによって保護部材もしくはタッチパネルや透明粘着部材などに対する接触圧が部分的に変化することによって、表示装置の表示ムラが生じるという課題があった。
【００１０】
また、表示装置が透明粘着部材などを介してタッチパネルもしくは保護部材にのみ保持されているため、衝撃が加わった場合に透明粘着部材の剥離や表示パネルの破損などが発生する場合があった。
【発明が解決しようとする課題】
【００１１】
この発明は、上記のような問題点を解消するためになされたもので、表示パネルを備えた表示装置において、表示パネルの外周部で発生する応力や、外部筐体へ表示装置を取り付ける際に発生する応力が原因で発生する表示ムラを抑制し、透明粘着部材の剥離や表示パネルの破損などを防止することが可能な表示装置を提供する。
【課題を解決するための手段】
【００１２】
本発明の表示装置は、表示パネルと、表示パネルの前面側に透明粘着部材を介して配置された透明部材と、表示パネルの背面側に配置されたバックライトと、バックライトを固定し、透明部材およびタッチパネルを収納する保持フレームと、を備え、保持フレームは、透明部材の後面の周辺部に対向して配置された支持部を有し、透明部材と、保持フレームの支持部を固定する接合部材により固定されており、かつ保持フレームには、支持部とは異なる位置に、支持部と平行方向に形成した外部部材との取り付け部が設けられていることを特徴とする。
【発明の効果】
【００１３】
本発明の構成によれば、表示パネルの外周部で発生する応力や、外部筐体へ表示装置を取り付ける際に発生する応力が原因で発生する表示ムラを抑制し、透明粘着部材の剥離や表示パネルの破損などを防止する。
【図面の簡単な説明】
【００１４】
【図１】本発明の表示装置の分解斜視図である。
【図２】図１の表示装置を組み立てた状態におけるＡ-Ａ断面図である。
【図３】実施の形態１の変形例を示す断面図である。
【図４】実施の形態２の表示装置の断面図である。
【図５】実施の形態２の表示装置の断面図である。
【図６】実施の形態２の変形例を示す断面図である。
【図７】実施の形態３の構成を示す断面図である。
【図８】実施の形態３の構成を示す断面図である。
【図９】実施の形態４の構成を示す断面図である。
【図１０】実施の形態５の構成を示す断面図である。
【図１１】実施の形態６の構成を示す断面図である。
【図１２】実施の形態７の構成を示す断面図である。
【図１３】実施の形態８の構成を示す断面図である。
【図１４】実施の形態８の構成を示す断面図である。
【図１５】実施の形態９の構成を示す断面図である。
【図１６】実施の形態１０の構成を示す概略平面図である。
【図１７】実施の形態１０の構成を示す断面図である。
【図１８】実施の形態１０の構成を示す断面図である。
【発明を実施するための形態】
【００１５】
実施の形態１．
以下、この発明の実施の形態１を図に基づいて説明する。図１は本発明の表示装置分解斜視図、図２は図１の表示装置を組み立てた状態におけるＡ-Ａ断面図である。
【００１６】
＜表示装置の全体構成＞
図１、図２に示すように、本発明の表示装置は、表示パネル１と該表示パネル１を照射するためのバックライト２と、バックライト２を内部に配置し、支持部３ａを有する保持フレーム３を備えている。また、表示パネル１の表示面１１側には、タッチパネル４を備え、タッチパネル４の操作者側に配置される前面には、タッチパネル４を保護するための保護部材５を備えている。タッチパネル４は、保護部材５の前面の反対側の面である後面に透明粘着部材８により固定されている。また、表示パネル１は、タッチパネル４の前面の反対側の面である後面に透明粘着部材８により、固定されている。
【００１７】
また、保護部材５の後面側の端部であって、保持フレーム３の支持部３ａ上には、接合部材９が配置されており、保護部材５は、保持フレーム３の支持部３ａに当該接合部材９により固定されている。このとき、表示パネル１およびタッチパネル４は、保持フレーム３とは直接固定されていない。また、タッチパネル４の端部には、タッチパネル４からの信号を出力する図示しない出力配線部材が配置されている。
【００１８】
＜表示パネル＞
表示パネル１は、透過型のパネルであって、液晶表示パネル、プラズマ表示パネルなどを用いることができる。本発明においては、表示パネル１として液晶表示パネルを用いている。液晶表示パネルは液晶の複屈折性を応用しており、ガラスなどの絶縁性基板上に着色層、遮光層、対向電極等が形成された第１の基板と、ガラスなどの絶縁性基板上にスイッチング素子となる薄膜トランジスタ（Ｔｈｉｎ Ｆｉｌｍ Ｔｒａｎｓｉｓｔｏｒ、以下、ＴＦＴと称す）、画素電極等が形成された第２の基板とを備えている。また、第１の基板と第２の基板との間隔を保持するためのスペーサ、第１の基板と第２の基板とを貼り合わせるためのシール材、また両基板の間に狭持させる液晶、液晶を注入する注入口の封止材、液晶を配光させる配向膜、および偏光板などにより構成されている（図示せず）。
【００１９】
＜保持フレーム＞
保持フレーム３は、表示パネル１、タッチパネル４、バックライト２、等を収納する部材であり、薄板の金属あるいは樹脂成型品等により構成されている。薄板の金属の場合は、必要に応じて加工用の切り込みが設けられている（図示せず）。保持フレーム３は、一体で形成してもよいし、複数の部材を組み合わせることにより構成してもよい。保持フレーム３は、少なくとも各部材を収納するため、側部３１が枠状に形成されており、上部の開口部側に形成された保護部材５を固定するため、側部３１の上部に支持部３ａを備えている。また、図１に示すように側部３１には取り付け部３２が形成されており、取り付け部３２には外部筐体６に固定するためのネジ溝加工部、取り付け穴等が形成されている。
【００２０】
＜バックライト＞
バックライト２は、光を出射する光源（図示せず）と、光源から出射した光を伝播する導光板等を保持するケースによって構成されており、表示パネル１を表示面１１と反対側である後面側より照射している。
【００２１】
＜タッチパネル＞
タッチパネル４は、透明な基板上に形成された透明電極による回路により外部（操作者）から入力された位置座標に関する情報を電気信号に変換し、出力配線部材により外部筐体の制御回路へ伝達する（図示せず）。なお、本実施の形態におけるタッチパネル４は、投射容量方式のものを用いている。投射容量方式のタッチパネル４は、操作者の指先等の位置を座標データが検知し、接触位置とその付近の複数の電極パターンによる電流量の比率を計測することで指の位置を精密に判別することで、信号の入力を行っている。また、タッチパネル４を構成する上下の基板は、透明なガラスなどが用いられる。また、タッチパネル４は、コストおよび装置の軽量化の観点から薄いほうが望ましいが、透明電極の形成工程に対する適正から、液晶表示パネル用として広く流通している０．７ｍｍ以下の厚さのガラスを使用することで、信頼性が高い基板を容易に入手することができ、コストも抑えることができる。
【００２２】
＜保護部材＞
保護部材５は、タッチパネル４および/または表示パネル１への外部からの加圧や接触による損傷、変形、磨耗、汚れ等を防止するもので、ガラスあるいはプラスチック等の概ね透明の材料により構成されている。本実施の形態において、保護部材５は、強度が高く変形しにくいガラスを用いている。また、厚さは表示パネル１の第１の基板、第２の基板もしくはタッチパネル４よりも厚いものを用い、他部材よりも剛性を高くすることが望ましい。また、保護部材５の表面あるいは裏面への印刷や塗装を行うことにより、意匠部材としての機能を付加することもできる。また、保護部材５の表面にＡＧ、ＡＲを行うことにより、視認性を向上することもできる。また、保護部材５の表面に微細凹凸加工、防汚、撥水、撥油処理等を行うことにより、タッチパネル４操作時の表面滑り性、防汚性を向上することもできる
【００２３】
＜ＦＰＣ＞
出力配線部材は、一般的に柔軟性に優れたＦＰＣ（Ｆｌｅｘｉｂｌｅ  Ｐｒｉｎｔｅｄ  Ｃｕｒｃｕｉｔ）が用いられるが、同等の機能、性質を有するものであれば、他の材料、構成でもよい。出力配線部材は、保持フレーム３の内壁側に収納することで、外力による破損を防止することができる。また、保持フレーム３が金属の場合は、外部からの静電気等による破損を抑制することもできる。
【００２４】
＜透明粘着部材、接合部材＞
透明粘着部材８、接合部材９は両面テープや粘着材を用いる。接合部材９はクッション性を備えた緩衝部材に両面テープや接着剤などを配置する構造としてもよい。また、クッション性を備えた緩衝部材には、樹脂製の部材や、硬化性樹脂などが考えられる。硬化性樹脂などを用いると、時間の経過とともに接着力が強くなるため、接着性をより向上させることができる。また、接合部材９は、一体で形成してもよいし、複数の部材を組み合わせることにより構成してもよい。
【００２５】
本発明において、表示パネル１は、タッチパネル４の後面に透明粘着部材８により固定されており、タッチパネル４は、保護部材５の後面に透明粘着部材８により固定されている。このように、複合化することにより、各部材の単体状態よりも、曲げ応力が向上し、変形しにくい状態となっている。また、上述したとおり、保護部材５は、表示パネル１の第１の基板または第２の基板、もしくはタッチパネル４よりも厚いガラスを用いており、保護部材５の後面側の端部であって、保持フレーム３の支持部３ａ上に配置された接合部材９により、保持フレーム３に固定されている。このとき、表示パネル１およびタッチパネル４は、保持フレーム３とは直接固定されておらず、保護部材５により保持されている。なお、本実施の形態１において、支持部３ａは、外部筐体６の方向に突出して形成されている。
【００２６】
また、バックライト２は、バックライト２の周縁に設けられた嵌合部（図示せず）により、保持フレーム３に保持されている。嵌合部の配置位置、個数は任意に設定可能であり、バックライト２の背面を保持フレーム３により支持する構造としてもよい。
【００２７】
保持フレーム３には側部３１に形成した取り付け部３２（ネジ部、取付穴等）が設けられており、表示装置は取り付け部３２を介して、外部筐体６に取り付けられる。本実施の形態１における取り付け部３２は、支持部３ａとは異なる位置に形成され、側部３１より外部筐体６に向かって突出し、支持部３ａと略平行方向に形成されている。図２に示すとおり、取り付け部３２には、外部筐体６と取り付けるための取り付け穴が設けられている。なお、図３の断面図に示す通り、取り付け部３２は、ネジ１０のネジ溝部と対応する位置にネジ加工を有してもよい。このような構成により、表示装置は取り付け部３２を介して、外部筐体６に取り付けられる。
【００２８】
表示装置を外部筐体６に取り付ける際、取り付け部３２を備える保持フレーム３に応力が加わる場合がある。本構造を採用することにより、表示装置を外部筐体６の取り付ける時に加わる応力や、表示パネルの外周部で発生して外部筐体６の変形により発生した応力は、保護部材５を固定する支持部３ａとは異なる位置に形成された取り付け部３２により、保持フレーム３の側部３１、支持部３ａを介して接合部材９に伝わり、保護部材５へ伝達される。よって、応力は、保持フレーム３および接合部材９で吸収、緩和された後に、保持部材５に伝達される。このため、保持部材５にさらにタッチパネル４、透明粘着部材８を介して固定されている表示パネル１に、応力が直接的に伝達されることを防止でき、表示パネル１の応力を軽減することができる。
【００２９】
よって、外部筐体６へ表示装置を取り付ける際に発生する応力や表示パネル１の外周部で発生する応力が原因で発生する表示パネル１の表示ムラを抑制することができるとともに透明粘着部材８の剥離や表示パネルの破損などを防止することができる。
【００３０】
また、表示装置を構成する保持フレーム３に取り付け部３２を形成し、外部筐体６への取り付けを行うため、部品点数や組立て工数の増加がなく、コスト上昇を抑えることができる。  
【００３１】
なお、取り付け部３２の配置位置、配置箇所、外部筐体６への取り付け方向は任意に設定することができる。また、図示しないが、側部３１の取り付け部３２周辺にスリットを設けることで、取り付け部３２に発生した応力を、さらに緩和させることができる。
【００３２】
また、取り付け部３２の、側部３１との接合面積、サイズを小さくし、剛性を低くすることで、取り付け部３２に発生した応力を、さらに緩和させることができる。
【００３３】
また、表示パネル１と、バックライト２の間に、所定のクリアランスを設けることで、保持フレーム３とバックライト２を介して、表示パネル１の背面側へ加わる応力をさらに緩和することが可能となる。
【００３４】
また、保護部材５の厚さは、表示パネル１の第１の基板、第２の基板もしくはタッチパネル４よりも厚くし、他部材よりも剛性を高くしているので、保持部材５に伝達された応力による変形を、さらに軽減させることができる。
【００３５】
以上、説明した通り、本発明の構成によれば、外部筐体６へ表示装置を取り付ける際に発生する応力や表示パネル１の外周部で発生する応力が原因で発生する表示パネル１の表示ムラを抑制することができるとともに透明粘着部材８の剥離や表示パネルの破損などを防止することができる。
【００３６】
また、落下などによって表示装置に衝撃が加わった場合であっても、保持フレーム３に加わった応力は、保持フレーム３および接合部材９で緩和されるため、透明粘着部材８の剥離や、表示パネル１の破損などを防止することが可能となる。
【００３７】
なお、取り付け部３２は図１に示すように、分割して設けられることで外部筐体６からの応力を取り付け部３２で分散させることができる。
【００３８】
実施の形態２．
図４、図５は本発明の実施の形態２における表示装置の構成を説明する断面図である。以下、実施の形態２を図４、図５に基づいて説明する。なお、以下に説明する本実施の形態２に係る表示装置の作用効果以外は、前述した実施の形態と同様の構成であるため、説明を省略する。実施の形態１においては、保持フレーム３の側部３１に支持部３ａとは異なる位置に、支持部３ａと平行となるよう突出した取り付け部３２が設けられていたが、実施の形態２においては、図４、図５に示すように、保持フレーム３の側部３１に取り付け部３３が設けられている。取り付け部３３には、外部筐体６と取り付けるための取り付け穴、ネジ溝加工等が設けられており、表示装置は取り付け部３３を介して、外部筐体６に取り付けられる。
【００３９】
本構造によれば、表示装置を外部筐体６に取り付ける際に加わる応力や、外部筐体６の変形により発生した応力は、保持フレーム３の支持部３ａとは異なる位置であって、側部３１に形成した取り付け部３３を介して、支持部３ａへ伝達され、支持部３ａおよび接合部材９を介して保護部材５へ伝達される構造であるため、保持フレーム３および接合部材９で応力吸収後に、保持部材５に伝達されることにより、保持部材５にタッチパネル４、透明粘着部材８を介して固定されている表示パネル１に、応力が直接的に伝達することを防止できる。よって、外部筐体６へ表示装置を取り付ける際に発生する応力や表示パネル１の外周部で発生する応力が原因で発生する表示パネル１の表示ムラを抑制することができるとともに透明粘着部材８の剥離や表示パネルの破損などを防止することができる。
【００４０】
実施の形態２においては、保持フレーム３の側部３１に、取り付け部３３を配置しているため、外部筐体６の額縁領域を狭めることが可能となる。なお、取り付け部３３の配置位置、配置箇所、外部筐体６への取り付け方向は任意に設定してもよい。
【００４１】
実施の形態３．
図６、図７は本発明の実施の形態３における表示装置の構成を説明する断面図である。以下、実施の形態３を図６、図７に基づいて説明する。なお、以下に説明する本実施の形態３に係る表示装置の作用効果以外は、前述した実施の形態と同様の構成であるため、説明を省略する。実施の形態１、２においては、保持フレーム３の側部３１に支持部３ａとは異なる位置に、取り付け部３２が設けられていたが、実施の形態３においては、図６、図７に示すように、保持フレーム３の側部３１と連続する背面部３５に、取り付け部３４が設けられている。取り付け部３４には、外部筐体６と取り付けるための取り付け穴、ネジ溝加工等が設けられており、表示装置は取り付け部３４を介して、外部筐体６に取り付けられる。
【００４２】
実施の形態３においては、保持フレーム３の背面部３５に、取り付け部３４を配置しているため、外部筐体６の額縁領域を狭めることが可能となる。
【００４３】
実施の形態４．
図８、図９は本発明の実施の形態４における表示装置の構成を説明する断面図である。以下、実施の形態４を図８、図９に基づいて説明する。なお、以下に説明する本実施の形態４に係る表示装置の作用効果以外は、前述した実施の形態と同様の構成であるため、説明を省略する。実施の形態４においては、図８、９に示すように、保持フレーム３の支持部３ａに配置された接合部材９よりも、外周側に、取り付け部３７が設けられている。具体的には、保持フレーム３の支持部３ａより延在し、支持部３ａと連続して形成された延在部３６に取り付け部３７が設けられている。図８の表示装置は支持部３ａより紙面下方向に突出する延在部３７に取り付け部３７を設ける構造を示している。また、図９の表示装置は、支持部３ａよりさらに外部方向に平行に突出する延在部３６に取り付け部３７が設けられている。
【００４４】
実施の形態４の構造によれば、表示装置を外部筐体６に取り付ける際に加わる応力や、外部筐体６の変形により発生した応力は、保持フレーム３の支持部３ａに配置された接合部材９よりも外周部に形成した取り付け部３７を介して、支持部３ａへ伝達され、支持部３ａおよび接合部材９を介して保護部材５へ伝達される構造であるため、保持フレーム３および接合部材９で応力吸収後に、保持部材５に伝達されることにより、保持部材５にタッチパネル４、透明粘着部材８を介して固定されている表示パネル１に、応力が直接的に伝達することを防止できる。実施の形態１乃至３の構成の表示装置の構成によれば、応力は保持フレーム３の側部３１を介して接合部材９、保護部材５に伝わるが、本実施の形態４の構造では、接合部材９よりも、外周側に取り付け部３７が設けられており、側部３１を介すことなく、支持部３ａ、接合部材９で応力を吸収し、表示素子１に加わる応力をより抑制することができる。
【００４５】
なお、取り付け部３７の配置位置、配置箇所、配置方向、外部筐体６への取り付け方向は任意に設定してもよい。
【００４６】
実施の形態５．
図１０は本発明の実施の形態５における表示装置の構成を説明する断面図である。以下、実施の形態５を図１０に基づいて説明する。なお、以下に説明する本実施の形態に係る表示装置の作用効果以外は、前述した実施の形態と同様の構成であるため、説明を省略する。
【００４７】
実施の形態１乃至４においては、タッチパネル４が保護部材５の後面に透明粘着部材８により固定され、表示パネル１は、タッチパネル４の後面に透明粘着部材８０により、固定されていたが、本実施の形態５においては、図１０に示すように、表示パネル１は、保護部材５の後面に透明粘着部材８により、固定されており、タッチパネルは配置されていない。本実施の形態によれば、タッチパネルを配置していない表示装置においても、実施の形態１乃至４と同様の効果を得ることができる。
【００４８】
実施の形態６．
図１１は本発明の実施の形態６における表示装置の構成を説明する断面図である。以下、実施の形態６を図１１に基づいて説明する。なお、以下に説明する本実施の形態に係る表示装置の作用効果以外は、前述した実施の形態と同様の構成であるため、説明を省略する。
【００４９】
実施の形態１乃至５においては、タッチパネル４は、保護部材５の後面に透明粘着部材８により固定され、表示パネル１は、タッチパネル４の後面に透明粘着部材８により、固定されていたが、本実施の形態６においては、図１１に示すように、表示パネル１は、タッチパネル４の後面に透明粘着部材８により固定されており、保護部材は配置されていない。また、タッチパネル４は、外周部の端部の後面が接着部材９により、保持フレーム３に固定されている。本実施の形態によれば、保護部材を配置していない表示装置においても、実施の形態１乃至４と同様の効果を得ることができる。
【００５０】
実施の形態７．
図１２は本発明の実施の形態７における表示装置の構成を説明する断面図である。以下、実施の形態７を図１２に基づいて説明する。なお、以下に説明する本実施の形態に係る表示装置の作用効果以外は、前述した実施の形態と同様の構成であるため、説明を省略する。
【００５１】
実施の形態１乃至６においては、保護部材５（実施の形態６においては、タッチパネル４）は、後面５の端部であって、保持フレーム３の支持部３ａの略全周に接合部材９を配置して保持フレーム３に固定されていたが、本実施の形態７においては、図１２に示すように、保持フレーム３の支持部３ａ上まで拡大して配置された透明粘着部材８を用いることにより、タッチパネル４（実施の形態５、６においては、表示素子１）および保持フレーム３を一体に固定している。本実施の形態によれば、接合部材９を削除できるので、部品点数を削減することができる。
【００５２】
実施の形態８． 
図１３は本発明の実施の形態８における表示装置の構成を説明する断面図である。以下、実施の形態８を図１３に基づいて説明する。なお、以下に説明する本実施の形態に係る表示装置の作用効果以外は、前述した実施の形態と同様の構成であるため、説明を省略する。
【００５３】
実施の形態８においては、図１３に示すように、保護部材５の支持部３ａに対応する位置に貫通穴５ａが設けられており、貫通穴５ａと対応する位置に外部筐体６との取り付け部３８が形成されている。貫通穴５ａを介して、保持フレーム３の支持部３に形成された取り付け部３８と外部筐体６とをネジ１０等により取り付ける構造とする。
【００５４】
実施の形態８によれば、保護部材５に貫通穴５ａを設けているため、表示装置の前面部より取り付けおよび取り外しが可能となり、外部筐体６の分解が不要となる。
【００５５】
なお、保護部材５に設ける貫通穴のサイズ、形状、配置位置、配置箇所、外部筐体への取り付け方向は任意に設定してもよい。また、図１４に示すように、保護部材５の貫通穴５ａだけでなく、接合部材９にも貫通穴を設け、保持フレーム３の取り付け部３８により、保持フレーム３の支持部３ａと外部筐体６とを取り付けることもできる
【００５６】
実施の形態９．
図１５は本発明の実施の形態９における表示装置の構成を説明する断面図である。以下、実施の形態９を図１５に基づいて説明する。なお、以下に説明する本実施の形態に係る表示装置の作用効果以外は、前述した実施の形態と同様の構成であるため、説明を省略する。
【００５７】
実施の形態９においては、図１５に示すように、保持フレーム３の支持部３ａの一部を延在させ、該延在部分を背面側に折り曲げた２重曲げ部３ｂを形成し、保護部材５の貫通穴５ａに対応する位置に取り付け部３９を備えている。
【００５８】
実施の形態９によれば、取り付け部３９が２重折り曲げ部３ｂに形成されているため、２重折り曲げ部３ｂのバネ作用により応力が一部吸収されることで、保護部材５に伝達する応力を弱めることができる。
【００５９】
また、２重折り曲げ部３ｂを構成していることにより、表示装置の外部筐体６への取り付けをより強力とすることが可能となる。
【００６０】
なお、保持フレーム３に設ける２重曲げ部のサイズ、形状、配置位置、配置箇所、外部筐体への取り付け方向は任意に設定してもよい。前述した実施の形態で説明した支持部３ａと連続した取り付け部３６でも、側部３１に設けられた取り付け部３２でも、２重曲げとすることにより、強度の向上を図ることができる。
【００６１】
実施の形態１０．
図１６は本実施の形態１０における表示装置の構成を説明する概略平面図、図１７は図１６のＢ-Ｂ断面図である。以下、実施の形態１０を図１６、図１７に基づいて説明する。なお、以下に説明する本実施の形態に係る表示装置の作用効果以外は、前述した実施の形態と同様の構成であるため、説明を省略する。
【００６２】
本実施の形態１０においては、図１６または図１７に示すように、保護部材５の一対の対峙する側部５ｂを保持フレーム３の側部３１と重なる位置または重なる位置よりも内方に形成する。また、保護部材５を固定する支持部は、前述した実施の形態では、側部３１より外方に向って突出する支持部３ａとしたが、本実施の形態１０においては、図１７に示すように、側部３１より内方に向かって延在する支持部３ｂを形成させる。そして、支持部３ｂに配置した接合部材９により保護部材５を貼り付ける。なお、他の一対の側部３１については、前述した実施の形態と同様、取り付け部により外部筐体６と表示装置が固定されている。
【００６３】
本実施の形態１０の表示装置に構造によれば、一対の保持フレーム３の側部３１より内方に向かって延在する支持部３ｂを形成して、保護部材５を固定させることにより、所望の一対の保護部材５のサイズを小さくして、額縁領域の狭い表示装置を提供することができる。
【００６４】
また、図１８に示すように、保持フレーム３に支持部３ｂを形成するスペースがない場合などは支持部３ｂを省略することも可能である。このように形成することで、さらなる狭額縁化を実現させることが可能で、バックライト２などを収納しやすくなるため、作業性が向上する。外部筐体６との取り付け部３３は側部３１に設けることでさらなる狭額縁化が可能である。
【００６５】
また、上記説明した各実施の形態については、本発明を逸脱しない範囲で種々組み合わせ可能である。
【符号の説明】
【００６６】
１  表示パネル、２  バックライト、３  保持フレーム、３ａ、３ｂ  支持部、
３１  側部、３２、３３、３５、３６、３７、３８、３９  取り付け部、
３４  背面部、４  タッチパネル、５  保護部材、６  外部筐体、
８  透明粘着部材、９  接合部材、１０  ネジ。
【図１】
2015034876.tif 000003
【図２】
2015034876.tif 000004
【図３】
2015034876.tif 000005
【図４】
2015034876.tif 000006
【図５】
2015034876.tif 000007
【図６】
2015034876.tif 000008
【図７】
2015034876.tif 000009
【図８】
2015034876.tif 000010
【図９】
2015034876.tif 000011
【図１０】
2015034876.tif 000012
【図１１】
2015034876.tif 000013
【図１２】
2015034876.tif 000014
【図１３】
2015034876.tif 000015
【図１４】
2015034876.tif 000016
【図１５】
2015034876.tif 000017
【図１６】
2015034876.tif 000018
【図１７】
2015034876.tif 000019
【図１８】
2015034876.tif 000020